(57)【要約】【課題】忌避効果、消臭効果、芳香効果、抗菌効果、吸湿効果又は断熱効果を発揮でき、しかも軽量で安全性に優れることに加えて、様々な場所に簡単に設置したり取り付けることができる機能性シート及び該機能性シートを用いた立体成形品を提供すること。【解決手段】表面層、中間層及び裏面層を有し、前記表面層と中間層と前記裏面層との少なくとも端部が互いに熱圧着によって一体化されている機能性シートであって、前記表面層及び裏面層の少なくとも一方が非透水性でありかつ通気性を有し、前記中間層に揮発性薬剤を含むことを特徴とする機能性シート。【選択図】図１
0003178834.tif 000002
【実用新案登録請求の範囲】
【請求項１】
表面層、中間層及び裏面層を有し、前記表面層と中間層と前記裏面層との少なくとも端部が互いに熱圧着によって一体化されている機能性シートであって、
前記表面層及び裏面層の少なくとも一方が非透水性でありかつ通気性を有し、
前記中間層に揮発性薬剤を含むことを特徴とする機能性シート。
【請求項２】
前記表面層及び裏面層の少なくとも一方が非透水性でありかつ通気性を有するシートからなる請求項１記載の機能性シート。
【請求項３】
前記非透水性でありかつ通気性を有するシートが、合成樹脂、天然樹脂、天然素材又は金属薄膜から構成される請求項２に記載の機能性シート。
【請求項４】
前記非透水性でありかつ通気性を有するシートが、炭酸カルシウムと高密度ポリエチレン樹脂とからなる請求項３記載の機能性シート。
【請求項５】
前記表面層及び裏面層の一方が非透水性でありかつ通気性のシートからなり、かつ他方のシートが非透水性でありかつ非通気性のシートからなる請求項１記載の機能性シート。
【請求項６】
前記非透水性のシートが、合成樹脂、天然樹脂、天然素材又は金属薄膜から構成される請求項５に記載の機能性シート。
【請求項７】
前記揮発性薬剤が忌避剤、消臭剤、芳香剤及び抗菌剤からなる群より選ばれる少なくとも１種である請求項１〜６いずれかに記載の機能性シート。
【請求項８】
前記揮発性薬剤がマイクロカプセルに含まれている、又は増粘剤、樹脂もしくはゲル化剤中に含浸されている請求項１〜７いずれかに記載の機能性シート。
【請求項９】
前記中間層が、紙製品、樹脂製品、布製品、織物及び不織布からなる群より選ばれる１種以上の材料に前記揮発性薬剤が付着されたものから構成される請求項１〜８いずれか記載の機能性シート。
【請求項１０】
前記中間層にさらに吸湿剤又は断熱剤が含まれる請求項１〜９いずれか記載の機能性シート。
【請求項１１】
前記機能性シートを縦断又は横断した熱圧着部が形成されており、該熱圧着部にミシン目が施されている請求項１０に記載の機能性シート。
【請求項１２】
前記裏面層の外面に接着剤、粘着テープ又は面ファスナーが貼付されてなる請求項１〜１１のいずれかに記載の機能性シート。
【請求項１３】
前記表面層の外面にインクが塗布されている請求項１〜１２のいずれかに記載の機能性シート。
【請求項１４】
請求項１〜１３のいずれかに記載の機能性シートからなる立体成形品。
【請求項１５】
リング状に成形してなる請求項１４に記載の立体成形品。
【請求項１６】
容器状に成形してなる請求項１４に記載の立体成形品。
【考案の詳細な説明】
【技術分野】
【０００１】
本考案は、揮発性薬剤を含有してなる機能性シート及び該機能性シートを用いた立体成形品に関するものである。
【背景技術】
【０００２】
従来、衣類の防虫乾燥剤などのような揮発性薬剤を使用した製品では、防虫剤や乾燥剤が非通気性のフィルムと透湿性のフィルムとからなる同一包装体内に収納された防虫乾燥剤が知られている（例えば、特許文献１）。また、少なくとも一部が透湿性非透水性シートにより形成された外袋内に、少なくとも一部が透湿性非透水性シートにより形成され、内部に吸湿剤が封入された吸湿剤袋体と供に、揮発性防虫剤が担持された防虫剤担持シートを収容した除湿具が知られている（例えば、特許文献２）。前記防虫乾燥剤や除湿具は、タンス内の衣服の間に設置できるようにするため薄く設計されている。
【０００３】
しかしながら、防虫、防湿などを求められるのはタンス内に限らず、生活環境の様々な場面に存在している。現在の日本では、住環境の整備が進んでいるが、例えば、自ら希望の場所に動くことが難しい乳児、病傷人、高齢者などにとっては、蚊、蝿などが寄ってきた場合にこれらを自分で追い払うことは難しい。また、寝たり、座っている場合でもその場に居る時間が長いため、接地している部分の着衣が汗で蒸れてしまい、汗疹などに罹る可能性もある。しかしながら、従来の防虫乾燥剤や除湿具はこのような場所に設置することを想定したものは多くはなく、より軽量で、効果が高く、安全な製品が求められている。
【先行技術文献】
【特許文献】
【０００４】
【特許文献１】実開昭６２−１４４９０１号公報
【特許文献２】特開２００４−９７８５８号公報
【考案の開示】
【考案が解決しようとする課題】
【０００５】
本考案は前述の状況に鑑み、忌避効果、消臭効果、芳香効果、抗菌効果、吸湿効果又は断熱効果を発揮でき、しかも軽量で安全性に優れることに加えて、様々な場所に簡単に設置したり取り付けることができる機能性シート及び該機能性シートを用いた立体成形品を提供することを目的とする。
【課題を解決するための手段】
【０００６】
本考案に係る機能性シートは、表面層、中間層及び裏面層を有し、前記表面層と中間層と前記裏面層との少なくとも端部が互いに熱圧着によって一体化されている機能性シートであって、
前記表面層及び裏面層の少なくとも一方が非透水性でありかつ通気性を有し、
前記中間層に揮発性薬剤を含むことを特徴とする機能性シートである。
【０００７】
前記表面層及び裏面層の少なくとも一方が非透水性でありかつ通気性を有するシートからなるものが含まれる。
【０００８】
前記非透水性でありかつ通気性を有するシートが、合成樹脂、天然樹脂、天然素材又は金属薄膜から構成されることが好ましい。
【０００９】
前記非透水性でありかつ通気性を有するシートが炭酸カルシウムと高密度ポリエチレン樹脂とからなることが好ましい。
【００１０】
前記表面層及び裏面層の非透水性でありかつ通気性のシートからなり、かつ他方のシートが非透水性でありかつ非通気性のシートからなるものが含まれる。
【００１１】
前記非透水性のシートは、合成樹脂、天然樹脂、天然素材又は金属薄膜から構成されることが好ましい。
【００１２】
前記揮発性薬剤が忌避剤、消臭剤、芳香剤及び抗菌剤からなる群より選ばれる少なくとも１種であればよい。
【００１３】
前記揮発性薬剤がマイクロカプセルに含まれている、又は増粘剤、樹脂もしくはゲル化剤中に含浸されていることが好ましい。
【００１４】
前記中間層が、紙製品、樹脂製品、布製品、織物及び不織布からなる群より選ばれる１種以上の材料に前記揮発性薬剤が付着されたものから構成されることが好ましい。
【００１５】
前記中間層にさらに吸湿剤又は断熱剤が含まれていてもよい。
【００１６】
前記機能性シートを縦断又は横断した熱圧着部が形成されており、該熱圧着部にミシン目が施されていてもよい。
【００１７】
前記裏面層の外面に接着剤、粘着テープ又は面ファスナーが貼付されていてもよい。
【００１８】
前記表面層の外面にインクが塗布されていてもよい。
【００１９】
また、本考案に係る立体成形品は、前記機能性シートからなるものである。
【００２０】
前記立体成形品は、リング状に成形されていてもよい。
【００２１】
前記立体成形品は、容器状に成形されていてもよい。
【考案の効果】
【００２２】
本考案に係る機能性シートによれば、表面層及び裏面層の少なくとも一方が非透水性でありかつ通気性を有していることから、中間層に含まれる揮発性薬剤が気化することで機能性シートの周囲に前記揮発性薬剤の作用を及ぼすことができる。また、前記表面層、中間層及び裏面層の端部と互いに熱圧着によって一体化されていることで、前記機能性シートを様々に動かしても前記中間層に含まれる揮発性薬剤が偏らなくなり、揮発性薬剤の効果を一定に維持することができる。
【００２３】
前記表面層及び裏面層の少なくとも一方が非透水性でありかつ通気性を有するシートからなることで、中間層に外部環境に存在する水が入らないため、揮発性薬剤への影響を抑えることができ、また、機能性シートの周囲に揮発性薬剤を効率よく揮発させることができる。
【００２４】
前記非透水性でありかつ通気性を有するシートが合成樹脂、天然樹脂、天然素材又は金属薄膜から構成されることで、前記機能性シートは軽量でありながら耐久性にも優れるものとなる。
【００２５】
前記非透水性でありかつ通気性を有するシートが炭酸カルシウムと高密度ポリエチレン樹脂とからなることで、前記シートが水に濡れた場合でも、その表面に水性マジックなどで文字を書くことができる。
【００２６】
前記表面層及び裏面層の一方が非透水性でありかつ通気性のシートからなり、かつ他方のシートが非透水性でありかつ非通気性のシートからなることで、機能性シートの外面が非透水性の素材で構成されるため、水分を多く含んだ場所でも容易に設置したり取り付けることができる。
【００２７】
前記非透水性のシートが合成樹脂、天然樹脂、天然素材又は金属薄膜から構成されることで、前記機能性シートは軽量でありながら耐久性にも優れるものとなる。
【００２８】
前記揮発性薬剤が忌避剤、消臭剤、芳香剤及び抗菌剤からなる群より選ばれる少なくとも１種であることで、前記効能性シートに忌避効果、消臭効果、芳香効果、抗菌効果などを付与することができる。
【００２９】
前記揮発性薬剤がマイクロカプセルに含まれている、又は増粘剤、樹脂もしくはゲル化剤中に含浸されていることで、前記揮発性薬剤が揮発する時間を延ばすことができ、その結果としてそれぞれの薬剤の効果を長時間維持することが可能となる。
【００３０】
前記中間層が、紙製品、樹脂製品、布製品、織物及び不織布からなる群より選ばれる１種以上の材料に前記揮発性薬剤が付着されたものから構成されることで、前記揮発性薬剤をしっかりと付着させることができ、かつ前記中間層を軽量にすることができる。
【００３１】
前記中間層にさらに吸湿剤又は断熱剤が含まれていることで、機能性シートに吸湿効果又は断熱効果を付与することができる。
【００３２】
前記機能性シートを縦断又は横断した熱圧着部が形成されており、該熱圧着部にミシン目が施されていることで、ミシン目の部分で前記機能性シートを分割できるため、設置又は取り付ける場所によって揮発性薬剤の効果を必要に応じて調整することができる。
【００３３】
前記機能性シートの裏面層の外面に接着剤、粘着テープ又は面ファスナーが貼付されていることで、前記機能性シートを様々な場所に貼付したり、設置することができる。
【００３４】
前記表面層の外面にインクが塗布されていることで、前記機能性シートの外観を変えることができ、かつ、揮発性薬剤の機能性シートからの放出を妨げて薬剤効果を経時的に引き伸ばすこともできる。
【００３５】
また、本考案に係る立体成形品は、前記機能性シートからなることで、例えば、リング状にすることで人の手にも取り付けることができ、さらに容器状とすることで容器内に収納したものの周囲にも所望の効果を記揮発性薬剤のものである。
【図面の簡単な説明】
【００３６】
【図１】図１は、本考案の機能性シート１の一実施形態を示す概略断面図である。図１では、機能性シート１が、表面層２、中間層３及び裏面層４が積層されて構成されている状態を示す。
【図２】図２は、本考案の機能性シート１の一実施形態を示す概略図であり、機能性シート１の端部に熱圧着部５が形成されている状態を示す。
【図３】図３は、本考案の機能性シート１の一実施形態を示す概略図であり、機能性シート１の端部及び中央部にも圧着部５が形成され、さらに前記機能性シート１中央付近で機能性シート１を縦断及び横断する圧着部５にミシン目６が形成されている状態を示す。
【図４】図４は、本考案の機能性シート１の一実施形態を示す概略図であり、（ａ）は機能性シート１の裏面層４の外面に接着剤７が貼付されている状態、（ｂ）は機能性シート１の裏面層４の外面に粘着テープ８が貼付されている状態、（ｃ）は機能性シート１の裏面層４の外面に面ファスナー９が貼付されている状態をそれぞれ示す
【図５】図５は、本考案の機能性シート１の一実施形態を示す概略図であり、表面層２の外面にインク１０で模様が付与されている状態を示す。
【図６】図６は、本考案の立体成形品の一実施形態であり、（ａ）はリング状に成形した立体成形品１１の概略図であり、（ｂ）はリング状に成形した立体成形品１１を人の手１２に取り付けた状態を示す。
【図７】図７は、本考案の立体成形品の一実施形態であり、袋状に成形した立体成形品１３の概略図である。
【考案を実施するための形態】
【００３７】
次に、本考案の実施の形態を添付図面に基づき詳細に説明するが、本考案は、添付図面に示された形態に限定されず実用新案登録請求の範囲に記載の要件を満たす実施形態の全てを含むものである。
【００３８】
１．機能性シート
本考案に係る機能性シート１は、図１に示すように、表面層２、中間層３及び裏面層４を有しており、図２に示すように、前記表面層２、中間層３及び前記裏面層４の端部が互いに熱圧着によって一体化されている。
なお、一体化とは、表面層２、中間層３及び裏面層４が互いに分離できないように固着されている状態をいい、表面層２、中間層３及び裏面層４が互いに同一の合成樹脂などである場合、各層の境界面が判別できない程度にまで一体化されていてもよいし、いずれかの層に金属薄膜が用いられている場合には、各層の境界面が判別できてもよい。
【００３９】
前記表面層２と前記裏面層４との端部が互いに熱圧着されることで表面層２と裏面層４とが固定されて、中間層３に揮発性薬剤を含むことができる。
前記熱圧着の手段としては、表面層２、中間層３及び裏面層４を構成する材質にあわせて適当な方法を選択すればよい。例えば、後述のように表面層２、中間層３及び裏面層４の少なくとも一方が合成樹脂、天然樹脂、天然素材又は金属薄膜で構成されていれば、熱圧着装置を用いて熱圧着を施せばよい。また、表面層２及び裏面層４のいずれかが金属薄膜を用いている場合、熱圧着を施す部分に予め接着剤を塗布して接着強度を上げてもよい。
前記熱圧着部５は、図２に示すように機能性シート１の端部に限らず、図３に示すように、機能性シート１を縦断又は横断するように設けてもよい。なお、図２、３では機能性シート１の形状が略正方形であるように示されているが、略長方形、略台形、略円形、略多角形など所望により様々な形状も含まれる。また、図３に示すような機能性シート１を縦断又は横断する熱圧着部５やミシン目６も所望により様々な箇所に施すことができる。例えば、図示しないが、所定の絵柄や文字に切り離せるように、機能性シート１を縦断又は横断する熱圧着部５及びミシン目６を施しておき、前記ミシン目６に沿って切り離すことで前記絵柄や文字の外形をもつ機能性シート１としてもよい。
【００４０】
前記表面層２及び裏面層４の少なくとも一方は、非透水性でありかつ通気性を有する。
「非透水性」とは水を実質的に透さない性質をいい、「通気性」とは水蒸気、揮発した薬剤などの気体は透す性質をいう。
本考案においては、前記表面層２及び裏面層４の少なくとも一方が非透水性でありかつ通気性を有することで、中間層に外部環境に存在する水が入り難くするため、揮発性薬剤への影響を抑えることができ、また、機能性シートの周囲に揮発性薬剤を効率よく揮発させることができる。
【００４１】
前記表面層２及び裏面層４の一つの態様として、例えば、前記表面層２及び裏面層４の少なくとも一方が非透水性でありかつ通気性を有するシートからなる態様が挙げられる。
前記非透水性でありかつ通気性を有するシートとしては、合成樹脂、天然樹脂、天然素材、金属薄膜などの素材から構成されるものであればよい。
【００４２】
前記合成樹脂としては、アクリロニトリル−ブタジエン−アクリル酸エステル、 HYPERLINK "http://homepage1.nifty.com/seas/database/ep/abs.htm" アクリロニトリル−ブタジエン−スチレン、アクリロニトリル−塩素化ポリエチレン−スチレン、アクリロニトリル−エチレン−プロピレン−ジエン−スチレン、アクリロニトリル−メタクリル酸メチル、アクリロニトリル−スチレン−アクリル酸エステル、セルロースアセテート、セルロースアセテートブチレート、セルロースアセテートプロピオネート、クレゾールホルムアルデヒド樹脂、カルボキシメチルセルロース、ニトロセルロース、セルロースプロピオネート、セルローストリアセテート、エチルセルロース、エチレン−アクリル酸エチル、ガラス基材エポキシ樹脂、エチレン−メタクリル酸、エポキシド／エポキシ、エチレン−プロピレン、エチレン−プロピレン−ジエン、エチレン−テトラフルオロエチレン、エチレン−酢酸ビニル、エチレン−ビニルアルコール、パーフルオロ−エチレン−プロピレンテトラフルオロエチレン−ヘキサフルオロプロピレン、フラン−ホルムアルデヒド、メタクリレート−ブタジエン−スチレン、メチルセルロース、メラミン−ホルムアルデヒド、メラミン−フェノール−ホルムアルデヒド、ポリアミド樹脂、ポリアミド−イミド、ポリアクリロニトリル、ポリエステルウレタン、ポリブテン−１、ポリアクリル酸ブチル、ポリベンゾイミダゾール、ポリブチレンテレフタレート、ポリカーボネート、ポリジアリルフタレート、ポリエチレン、ポリエーテルブロックアミド、ポリエーテルエーテルケトン、ポリエーテルイミド、ポリエチレンオキシド、ポリエーテルスルフォン、ポリエチレンテレフタレート、ポリエーテルウレタン、フェノールホルムアルデヒド、パーフルオロアルコキシアルカン、ポリイミド、ポリイソブチレン、ポリイソシアヌレート、綿基材フェノール樹脂、紙基材フェノール樹脂、ポリメタクリルイミド、ポリメタクリル酸メチル、ポリ−４−メチルペンテン−１、ポリ−α−メチルスチレン、ポリオキシメチレン／ポリアセタール樹脂、ポリプロピレン、ポリフェニレンエーテル、ポリプロピレンオキシド、ポリフェニレンスルフィド、ポリフェニレンスルフォン、ポリスチレン、ポリスルフォン、ポリウレタン、ポリ酢酸ビニル、ポリビニルアルコール、ポリビニルブチラール、ポリ塩化ビニル、ポリ塩化ビニリデン、ポリフッ化ビニリデン、ポリフッ化ビニル、ポリビニルホルマール、ポリビニルカルバゾール、ポリビニルピロリドン、スチレン−アクリロニトリル、スチレン−ブタジエン、シリコーン樹脂、スチレン−無水マレイン酸、スチレン−α−メチルスチレン、飽和ポリエステル、ユリア樹脂、超高分子量ポリエチレン、不飽和ポリエステル、塩化ビニル−エチレン、塩化ビニル−エチレン−アクリル酸メチル、塩化ビニル−エチレン−酢酸ビニル、塩化ビニル−アクリル酸メチル、塩化ビニル−メタクリル酸メチル、塩化ビニル−アクリル酸オクチル、塩化ビニル−酢酸ビニル、塩化ビニル−塩化ビニリデン、ポリテトラフルオロエチレン、クロロトリフルオエチレン・エチレン共重合体、ポリシクロへキシレン・ジメチレン・テレフタレート、変性ポリフェニレンエーテル、ＧＦ強化ポリエチレンテレフタレート、ポリサルホン、ポリアリレート、液晶ポリマー、熱可塑性ポリイミド、ポリメチルペンテン、シンジオタクチックポリスチレン、ポリアミド６Ｔ、ポリアミド１１，１２、ナイロン、アクリル、ポリメタクリル酸メチルーアクリロニトリル−ブタジエン−スチレン、ポリカーボネート／アクリロニトリルブタジエンスチレン共重合体、ワーロンプレート、ＰＭＭＡ―ＡＥＳ−ＡＢＳ、アクリル変性高衝撃塩化ビニル、ポリプロピレンポリエチレン混合樹脂、ポリ乳酸、変性ポリフェニレンエーテル樹脂、ポリエチレンテレフタレート共重合体、紫外線硬化樹脂、メチルセルロースナイロン、ポリオレフィン、ポリフェニレンエーテル、無延伸非結晶性ポリエチレンテレフタレート、無延伸ナイロン、無延伸結晶性ポリエチレンテレフタレート、無延伸ポリエチレン、スチレンペーパー、インフレーションポリプロピレン、リニア低密度ポリエチレン、中密度ポリエチレン、延伸ナイロン、延伸ポリプロピレン、、ビニロン、高密度ポリエチレン、ジアリルフタレート、セルロイド、ポリブタジエン、メチル化メラミン、アクリル変性メラミン、メチル化尿素、混合エーテル化ベンゾグアナミン、メチル化ベンゾグアナミン、混合エーテル化メラミン、ベンゾグアナミン、グリブタル、アルキド、アクリル変性ポリ塩化ビニル、ポリアニリン、ビスマレイミドトリアジン、ポリブテン、セルロースホルムアルデヒド、シクロオレフィンコポリマー、エチレン-アクリル酸、エチレン-アクリル酸ブチル、メタクリル酸メチル-アクリロニトリル-ブタジエン-スチレン、α-メチルスチレン-アクリロニトリル、ポリアクリル酸、ポリアリールエーテルケトン、ポリアクリル酸エステル、ポリアリールアミド、ポリブチレンナフタレート、ポリシクロヘキシレンジメチレンシクロヘキサンジカルボキシレート、ポリカプロラクトン、ポリジシクロペンタジエン、塩素化ポリエチレン、極低密度ポリエチレン、ポリエステルカーボネート、ポリエーテルエステル、ポリエーテルケトン、ポリエチレンナフタレート、ポリエステルウレタン、ポリケトン、ポリＮ−メチルメタクリルイミド、ポリホルムアルデヒド、発泡性ポリプロピレン、耐衝撃性ポリプロピレン、発泡性ポリスチレン、耐衝撃性ポリスチレン、ポリトリメチレンテレフタレート、塩素化ポリ塩化ビニル、無可塑ポリ塩化ビニル、ビニルエステル樹脂、アクリロニトリル−アクリルゴム−スチレン、アタクチックポリプロピレン、アクリルニトリル−スチレン、エチルビニルエーテル、軟質ウレタンフォーム、ガラス繊維強化プラスチック、ガラス繊維強化熱可塑性樹脂、メラミン、マレイミド、マレイミド−スチレン、変性シリコーン、ポリエステルアルキド、ポリアリルスルホン、ポリブタジエンアクリルニトリル、ポリ−Ｎ−ブチルメタクリレート、ポリブタジエンスチレン、ポリエーテルニトリル、４フッ化パーフルオロアルキルビニルエーテル、ポリメトキシアセタール、ポリメタクリロニトリル、ポリフタルアミド、ポリフェニレンオキシド、反応性ポリウレタン、ポリビニルイソブチルエーテル、シートモールディングコンパウンド、熱可塑性ポリアミド系エラストマー、熱可塑性エラストマー、熱可塑性ポリエステル系エラストマー、サーモポリオレフィン、リン酸トリフェニル、熱可塑性ポリウレタン及び熱可塑性加硫エラストマーから選ばれる1種以上の材料から構成されているものが挙げられる。
前記天然樹脂としては、エボナイト、カゼインなどが挙げられる。
前記天然素材としては、普通セロハンが挙げられる。
前記金属薄膜としては、真空蒸着通常アルミニウムなどが挙げられる。
前記素材は、１種のみでもよいし、２種以上のものを組み合わせてもよい。
【００４３】
また、前記非透水性でありかつ通気性を有するシートが炭酸カルシウムと高密度ポリエチレン樹脂とからなることで、前記シートが水に濡れた場合でも、その表面に水性ペンなどで文字を書くことができる。前記の構成を有するシートとしては、ストーンペーパーなどの市販品が挙げられる。
【００４４】
前記表面層２及び裏面層４のもう一方のシートとしては、透水性シートでなければよい。例えば、前記非透水性でありかつ通気性を有するシートであってもよいし、非透水性でありかつ非通気性のシートでもよい。
【００４５】
前記非透水性でありかつ非通気性のシートは、合成樹脂、天然樹脂、天然素材又は金属薄膜から構成されるものが挙げられる。前記合成樹脂、天然樹脂、天然素材及び金属薄膜としては、前記非透水性でありかつ通気性を有するシートと同じであればよい。
【００４６】
前記表面層２及び裏面層４の間にある前記中間層３は、揮発性薬剤を含む。
【００４７】
前記中間層３に含まれる揮発性薬剤とは、常温（２５℃）において薬剤として有効な程度の揮発性を示す薬剤を意味する。前記揮発性薬剤としては、忌避剤、消臭剤、芳香剤、抗菌剤などが挙げられる。
【００４８】
前記忌避剤とは、害虫や害獣に対して忌避効果のある薬剤を意味する。例えば、ジャコウ、シベット（レイビョウ香）、カストル（カイリ香）、アンバーグリス（リュウゼン香）などの動物性香料、ラベンダー油、ハッカ油、レモン油、オレンジ油、ローズ油、ショウノウ油、ビャクダン油、ヒノキ油、アンジローバ、リナロールなどの植物精油からなる植物性香料などの天然香料、亜塩素ナトリウム、テルペン化合物、芳香族化合物などからなる合成香料、あるいはそれらをブレンドした調合香料などの香料などが挙げられる。
【００４９】
前記消臭剤としては、天然系又は合成系の消臭剤のどちらでもよく、例えば、ヒノキ油、ローズ油、ラベンダー油、アビエス油、ベルガモット油、ビターアーモンド油、カナンガ油、カシア油、シダーリーフ油、シダーウッド油、シナモン油、シトロネラ油、ゲラニウム油、ホー油、ラバンジン油、レモン油、ライム油、ナツメグ油、オークモス油、オリガナム油、ペチグレン油、ペパーミント油、パイン油、スターアニス油、スイートオレンジ油、テレビン油、ベチバー油、メチルメタクリレート、エチルメタクリレート、ラウリルメタクリレート、ステアリルメタクリレート、ピルビン酸エチル、マレイン酸ジメチル、亜塩素ナトリウムなどが挙げられる。
【００５０】
前記芳香剤としては、天然系又は合成系の香料のどちらでもよく、揮発性の溶剤との溶液にしてもよい。天然香料では、動物性香料のムスク、シベット、カストリウムなどが、植物性香料では、レモン油、ペパーミント油、シナモン油などがあげられる。また、合成香料では、α−ピンネン、リモネン、グラニオール、リナロール、ネロリドールなどが挙げられる。
【００５１】
前記抗菌剤としては、天然系又は合成系の抗菌剤のどちらでもよく、例えば、ヒバオイル、月桃オイル、ペニーロイヤル、レモングラス、レモン、スパイスクラベンダー、ナツメグ、オレガノ、セージ、ジンジャー、セーボリー、タイム、ヒノキチオール、オールスパイス、シダーウッド、シナモンバーク、クローブバッズ、カユブテ、パイン、ティートゥリー、カプサイシン、スクワレン、スクワラン、アーモンドオイルなどが挙げられる。
【００５２】
中でも、植物精油などは、１種で、忌避、消臭、芳香、抗菌などのうち複数の作用を備えたものが多いため、コストを低減させる観点から、使用することが好ましい。
【００５３】
これらの揮発性薬剤は、使用目的に応じ適宜選択使用できる。例えば、揮発性薬剤は、１種のみでもよいし、２種以上を混合して用いてもよい。また、所望により、同じ作用効果のある揮発性薬剤を２種以上混合して用いてもよい。
【００５４】
また、前記中間層３にはさらに吸湿剤又は断熱剤が含まれていてもよい。本考案の機能性シート１では、表面層２又は裏面層４の少なくとも一方は非透水性であり通気性を有するため、例えば、中間層３に吸湿剤を含む場合にも好適に吸湿効果を発揮することができる。また、中間層３が断熱材を含む場合には、例えば、建物の床などに機能性シート１を敷き詰めることで、建物の床からの熱を遮断することができ、機能性シート１上を好適な温度環境に調整することができる。
【００５５】
前記吸湿剤としては、硫酸ナトリウム、硝酸ナトリウム、炭酸水素ナトリウム、塩化カルシウム、炭酸ナトリウム、塩化マグネシウム、塩化カリウム、炭酸マグネシウム、硝酸マグネシウム、塩化ナトリウム、木粉などが挙げられる。
前記断熱材としては、セルロースファイバー、硬質ウレタンフォーム、押し出し法ポリスチレンフォーム、フェノールフォーム、炭化発泡コルク、セルロースウール、ココヤシ繊維、線状木質繊維、フラックス繊維、ハンク繊維、コットン、ビーズ法ポリスチレン、高発泡ポリエチレン、シージングボードなどが挙げられる。
【００５６】
なお、前記揮発性薬剤や吸湿剤、断熱材の含有量としては、所望の効果が奏されるように調整すればよく、特に限定はない。
【００５７】
前記揮発性薬剤を含む中間層３の基材としては、マイクロカプセル、増粘剤、樹脂、ゲル化剤などが挙げられる。
【００５８】
例えば、基材であるマイクロカプセル内部に設けた中空部分やマイクロカプセル表面にある微細孔部分に前記揮発性薬剤を含ませたものを中間層３として用いることができる。
前記マイクロカプセルとしては、前記揮発性薬剤を含ませることができるものであればよく、その内部に中空部分があるものやその表面部分に微細孔があるものが挙げられる。揮発性薬剤をマイクロカプセルに含ませる手段としては、公知の方法に準じればよく、例えば、有機溶剤に前記揮発性薬剤を溶解させ、この溶液中にマイクロカプセルを浸漬したり、前記溶液をマイクロカプセルに吹き付け、その後、有機溶媒を蒸発させることでマイクロカプセル中に揮発性薬剤を含ませることができる。
【００５９】
また、前記中間層３の基材として、増粘剤、合成樹脂もしくは天然樹脂又はゲル化剤を用いる場合には、これらの基材中に予め前記揮発性薬剤を含浸させておき、これらの基材を前記表面層２と裏面層４との間に積層させればよい。
前記増粘剤としては、キサンタンガム、グアーガム、ミツロウ、パラフィン、スメクタイト、アルギン酸エステル、各種植物抽出ロウ、新油性粘土などが挙げられる。
前記合成樹脂又は天然樹脂としては、前記非透水性でありかつ通気性を有するシートの材料として使用できるものと同じものであればよい。
前記ゲル化剤としては、高分子ポリマー、デキストリン脂肪酸エステル、ポリビニルアルコール、ポリエチレン、各種エラストマー、尿素樹脂、ポリオレフィン不織布、ショ糖脂肪酸エステルなどが挙げられる。
【００６０】
また、前記中間層３は、紙製品、樹脂製品、布製品、織物及び不織布からなる群より選ばれる１種以上の材料に前記揮発性薬剤が付着されたものから構成されてもよい。
【００６１】
前記揮発性薬剤の前記材料表面への付着の仕方については、特に限定はなく、直接付着させてもよいし、揮発性薬剤を含むマイクロカプセルをドライスプレーなどで付着させてもよいし、揮発性薬剤を含浸させた増粘剤、合成樹脂もしくは天然樹脂又はゲル化剤を付着させてもよい。
前記紙製品、樹脂製品、布製品、織物、不織布などの原料、構造、形状などについては、前記揮発性薬剤をしっかりと付着させることができ、かつ前記中間層３を軽量にすることができるものを適宜選択すればよい。具体的には、紙製品、樹脂製品、布製品、織物、不織布としては、市販されているものの中から適当なものを選択して使用すればよいが、中でも、前記材料の原料が紙、樹脂又は繊維である場合、前記中間層３の軽量化の点で優れる。
【００６２】
また、本考案の機能性シート１は、前記中間層３の一部が前記表面層２及び裏面層４の端部と互いに熱圧着によって一体化されていてもよい。
この場合、前記機能性シート１を様々に動かしても前記揮発性薬剤の位置が中間層３中で偏らなくなるために、機能性シート１から放出される揮発性薬剤の効果を一定に維持することができる。
【００６３】
また、本考案の機能性シート１は、その裏面層４の外面に、例えば、図４（ａ）に示すように接着剤７、図４（ｂ）に示すように粘着テープ８、図４（ｃ）、（ｄ）に示すように面ファスナー９が貼付されていてもよい。
前記接着剤７又は粘着テープ８を貼付していることで、所望の部分に機能性シート１を付着させることが可能になる。また、前記面ファスナー９を貼付していることで、面ファスナー９同士を貼り合わせて、機能性シート１を筒状にしたり、棒状の支持体表面に貼り合わせることもできる。例えば、図（ｃ）では機能性シート１の同一面に面ファスナー９が貼付されており、図（ｄ）では表面層及び裏面層のそれぞれの外面に面ファスナー９が貼付されているが、いずれの場合も面ファスナー９同士を貼り合わせることは可能である。
【００６４】
また、本考案の機能性シート１の表面層２の外面には、図５に示すように、インク１０が塗布されていてもよい。このようにインク１０を塗布することで、前記機能性シート１の外観を変えることができ、かつ、機能性シート１の通気性をインク１０の塗布量で制御することで、揮発性薬剤の機能性シート１からの放出を妨げて薬剤効果を経時的に引き伸ばすこともできる。
【００６５】
以上のような構成からなる本考案の機能性シート１は、所望の場所に貼り付けてもよいし、布団やシーツなどの寝具の下に敷物として敷いたり、畳の下に敷いてもよいし、入れ物やかばんの中に入れてもよいし、タンスの中に吊り下げてもよいし、台所のひらきの中に置いてもよい、首、手、脚など棒状のものに巻いてもよい。また、次に述べるように、機能性シート１を立体的に成形してもよい。また、設置したり取り付ける場所としては、人が生活する空間の様々な場所、例えば幼児の傍や、洗面台、台所、風呂場などの水のかかる場所でも使用することができる。
【００６６】
２．立体成形品
本考案に係る立体成形品は、前記機能性シート１からなるものである。前記立体成形品の形状としては、特に限定はない。例えば、図６に示すようなリング状に成形した立体成形品１１が挙げられる。リング状の立体成形品１１としては、例えば、長方形状に作製した機能性シート１の端部同士を熱圧着させたり、機能性シート１の端部の外面に接着剤、粘着テープ又は面ファスナーで貼付しておいて、機能性シート１がリング状になるように端部同士を貼り合わせて成形してもよい。
前記リング状の立体成形品１１としては、棒状の支持体、例えば人の手１２を通して使用することができる。
【００６７】
また、別の態様としては、図７に示すように、容器状に成形した立体成形品１３が挙げられる。容器の形状としては、図７に示すような袋状だけでなく、箱状、円筒状などが挙げられる。
また、容器状の立体成形品１３の製造方法としては、容器の形状にあわせて適当な方法を選択すればよい。例えば、図７に示すような袋状の立体成形品１３の場合、長方形状など所望の形状に作製した２枚の機能性シート１の端部の３辺を熱圧着、接着剤又は粘着テープで接着させることで作製することができる。
前記容器状の立体成形品１３の内部１４には所望により容器の中に忌避剤を入れてもよい。また、容器状の立体成形品１３は建物の壁など所望の位置にぶらさげてもよい。
【実施例】
【００６８】
以下、本考案を実施例によりさらに詳しく説明するが、本考案はこれらの実施例に限定されるものではない。
【００６９】
実施例１
表面層及び裏面層用のシート材として、非透水性通気性シート（旭化成社製、素材：ポリエチレン、厚み０．０１ｃｍ）を５×８ｃｍの大きさになるよう切断して用意した。
中間層用に不織布（素材：ポリエチレン）５×８ｃｍの表面に揮発性薬剤であるラベンダー油を含浸させた中空タイプのマイクロカプセル（平均粒子径７〜１３μｍ）３ｇを合計６ｇとなるようにドライスプレーし、ラベンダー油の揮発を防ぐために不織布を非通気性の袋に入れて揮発を防いて保管した。
次いで、前記非透水性通気性シート２枚の間に前記袋から取り出した不織布を挟み、前記非透水性通気性シートの端部と前記不織布の端部を揃えてから、その外縁部である端部を熱圧着機にかけ、表面層、中間層及び裏面層の端部を熱圧着により一体化させた。
得られた機能性シートは、図２に示すような外観となっており、軽量であり、機能性シートを静置するとその周囲から前記揮発性薬剤に由来する匂いがしたため、機能性シートからはラベンダー油による忌避効果が発揮できていた。
また、前記機能性シートの表面層及び裏面層はいずれも非透水性通気性シートで構成されているために、中間層にある揮発性薬剤は揮発した状態でしかその表面に出てこないため、直接さわっても指や肌には揮発性薬剤は付着せず、安全性に優れたものとなる。
【００７０】
実施例２
非透水性通気性シートの大きさを２１×１ｃｍの長方形状にした以外は実施例１と同様にして機能性シート（サイズ２１×１ｃｍ）を作製した。
次いで、得られた機能性シートの短辺同士を熱圧着機により熱圧着して、図６に示すような外観を有する直径約７ｃｍ、幅１ｃｍのリング状の立体成形品を得た。
このリング状の立体成形品は、例えば、赤ちゃんの腕に取り付けることで、揮発性薬剤の忌避効果により赤ちゃんの周囲に蚊、蝿などの害虫が接近することを予防することができる。また、立体成形品の表面には前記揮発性薬剤はにじみ出たりしないため、赤ちゃんがリング状の立体成形品を舐めた場合でも安全である。
【００７１】
実施例３
非透水性通気性シートの大きさを８×１３ｃｍの長方形状にした以外は実施例１と同様にして機能性シート（サイズ８×１３ｃｍ）を２枚作製した。
次いで、２枚の機能性シートの端部を揃え、熱圧着機にかけて３辺を熱圧着させ、図７に示すような外観を有する容器状の立体成形品を得た。
【００７２】
実施例４
表面層及び裏面層用のシート材として、石灰石由来の炭酸カルシウム」と、「高密度ポリエチレン」からできている「ストーンペーパー」（龍盟(ロンミン)テクノロジー社製）を用い、５×８ｃｍの大きさになるよう切断した以外は、実施例１と同様にして機能性シートを作製した。
得られた機能性シートを水に濡らしたが、その表面には水性ペンで自由に文字や絵柄を描くことができた。
【符号の説明】
【００７３】
１  機能性シート
２  表面層
３  中間層
４  裏面層
５  熱圧着部
６  ミシン目
７  接着剤
８  粘着テープ
９  面ファスナー
１０  インク
１１  リング状の立体成形品
１２  人の手
１３  容器状の立体成形品
１４  内部
【図１】
0003178834.tif 000003
【図２】
0003178834.tif 000004
【図３】
0003178834.tif 000005
【図４】
0003178834.tif 000006
【図５】
0003178834.tif 000007
【図６】
0003178834.tif 000008
【図７】
0003178834.tif 000009